(57)【要約】        【課題】  手動投入も可能であり、かつ自動投入機構(30)を利用するのに適したスロットマシン等の遊技機を提供すること。        【解決手段】  前面メダル投入口(11)とは別個に、遊技メダルを投入可能な補助メダル投入口(14)を形成又は設置し、この補助メダル投入口(14)から投入された遊技メダルを、前記メダルセレクター(4)に移送可能に形成した。    【選択図】    図１
2004337600.tif 000002
【特許請求の範囲】
【請求項１】
本体の正面側に設けられ、遊技メダルを投入するための前面メダル投入口と、
投入された遊技メダルを選別するためのメダルセレクターと、
前記前面メダル投入口から前記メダルセレクターに遊技メダルを移送するための移送通路を少なくとも有するスロットマシンにおいて、
前記前面メダル投入口とは別個に、遊技メダルを投入可能な補助メダル投入口を形成又は設置し、
この補助メダル投入口から投入された遊技メダルを、前記メダルセレクターに移送可能に形成したことを特徴とするスロットマシン。
【請求項２】
前記補助メダル投入口は、遊技メダルをスロットマシン外部から移送可能な投入移送手段と連通していることを特徴とする請求項１記載のスロットマシン。
【請求項３】
前記補助メダル投入口から投入された遊技メダルを、前記メダルセレクターに移送するための補助移送通路を設けたことを特徴とする請求項１又は２記載のスロットマシン。
【請求項４】
前記補助メダル投入口から投入された遊技メダルを、前記前面メダル投入口に移送するための補助移送通路を設けたことを特徴とする請求項１又は２記載のスロットマシン。
【請求項５】
本体の正面側に設けられ、遊技媒体を投入するための前面投入口と、
投入された遊技媒体を選別するための遊技媒体検知部と、
前記前面投入口から前記遊技媒体検知部に遊技媒体を移送するための移送通路を少なくとも有する遊技機において、
前記前面投入口とは別個に、遊技媒体を投入可能な補助投入口を形成又は設置し、
この補助投入口から投入された遊技媒体を、前記遊技媒体検知部に移送可能に形成したことを特徴とする遊技機。
【発明の詳細な説明】
【技術分野】
【０００１】
この発明は、遊技メダルやその他の遊技媒体を一度に大量に投入可能なメダル投入装置などの遊技媒体投入装置を利用可能に形成されたスロットマシン及び遊技機に関するものである。
【背景技術】
【０００２】
従来、スロットマシンにおいては、メダル投入口は遊技メダルを一枚ずつ投入するような構成となっていた（特許文献１参照）。近年では、スロットマシンは、投入したいメダルを所定枚数まで遊技機内部に貯留し（いわゆるクレジット）、ベットスイッチの操作によりメダル投入に代えるものが主流となっている。このため、ある程度の枚数のメダルを予め遊技機に投入しておいてから、遊技を行う遊技者が多い事に鑑み、一度にメダルを大量投入でき、かつメダルセレクターに一枚ずつメダルを移送可能なメダル送り出し装置が考案されている（特許文献２、特願２００３−１３０１０など）。
一方、遊技媒体としてパチンコ玉を用い、スロットマシンと同様の遊技を行うことができる、いわゆるパロット遊技機が知られている。このパロット遊技機は、上皿に玉払い出し口および玉投入部があり、払い出された遊技球や玉貸し機から貸し出された遊技球を、所定のスイッチ操作により投入し、スタートレバー及びストップスイッチの操作により回転リールを回転及び停止させ、所定の図柄を揃えることにより上皿に遊技球が払い出される。そして、上皿に遊技球が一杯になった場合には、下皿に移して貯留できるようになっているものである。
【特許文献１】特開２００２−９５７９１号公報
【特許文献２】特開２００２−２８２４１４号公報
【発明の開示】
【発明が解決しようとする課題】
【０００３】
しかし、スロットマシンは遊技内容の変更が頻繁に行われ、遊技機が短いサイクルで交換されることから、内部装置が多大になると、交換時の費用も多大となってしまうという問題がある。この問題を解決するためには、スロットマシンの外部に、スロットマシンに遊技メダルを一枚ずつ連続的に移送可能な遊技メダルの自動投入機構を設け、この自動投入機構を介して遊技メダルを投入可能に形成することが考えられる。
一方、一枚ずつメダル投入口に投入したい遊技者や、一度に大量の遊技メダルを投入したくない遊技者もいることから、かかる遊技者の要請を考慮する必要もある。
また、パロットにおいては、下皿に貯留された遊技球を再投入する場合には、手で掴んで上皿に移動させなければならないが、運び上げる途中で遊技球を床に落下させてしまう場合もあり、このような作業は煩わしいものであった。
【０００４】
そこで、各請求項に記載された発明は、上記した問題点に鑑みてなされたものであり、その目的とするところは、メダル等の遊技媒体の手動投入も可能であり、かつ自動投入機構を利用するのに適したスロットマシン及び遊技機を提供することにある。
なお、本明細書において、「手動（投入）」とは、遊技者が手で（メダル貸し出し機などの遊技媒体払い出し機や遊技機の貯留皿から）遊技媒体を投入口まで移動させ、遊技機の投入口に手で投入する事を言い、「自動（投入）」とは、遊技者が遊技媒体を投入口まで手で移動させることの有無にかかわらず、遊技媒体が何らかの駆動制御的構成要素を介して投入口又はメダルセレクターなどの遊技媒体検知部に投入されることを言うものである。
【課題を解決するための手段】
【０００５】
請求項に記載された発明は、上記した各目的を達成するためになされたものであり、各発明の特徴点を図面に示した発明の実施の形態を用いて、以下に説明する。
なお、かっこ内の符号は、発明の実施の形態において用いた符号を示し、本発明の技術的範囲を限定するものではない。また、図面番号も、発明の実施の形態において用いた番号を示し、本発明の技術的範囲を限定するものではない。
（請求項１）
（特徴点）
請求項１記載の発明は、次の点を特徴とする。
【０００６】
すなわち、請求項１記載の発明は、本体の正面側に設けられ、遊戯メダルを投入するための前面メダル投入口(11)と、投入された遊技メダルを選別するためのメダルセレクター(4)と、前記前面メダル投入口(11)から前記メダルセレクター(4)に遊技メダルを移送するための移送通路(15)を少なくとも有するスロットマシンに係る。
本発明に係るスロットマシン(S)は、前面メダル投入口(11)から遊技メダルを投入し、前記複数の図柄を表示した複数の回転リールを、スタートスイッチ及びストップスイッチの操作により回転及び停止させて、複数の図柄の表示が所定の位置態様となった場合に入賞し、入賞の種類に応じた遊技メダルが払い出されるように形成されているものである。従って、上記構成部品の他に、回転リールとこれを駆動させるためのモータを有するリールユニット(3)や、リールユニット(3)の作動を制御するための制御装置や、遊技メダルを貯留すると共に払い出すための払い出し装置（ホッパーユニット(5)）などを有している。この他にも、例えば遊技メダルを一枚ずつ分離し所定の場所に送り出し可能なメダル送り装置(31)などを有していてもよい。
【０００７】
ここで、前記前面メダル投入口(11)は、遊技メダルを上側から投入可能なスリット状の開口であり、このスリットの手前側には、複数の遊技メダルを縦方向に並列させて載せることができると共に、前記スリットに遊技メダルを導くためのメダル誘導凹部が形成されている。そして、この前面メダル投入口(11)は、スロットマシン(S)の正面側に形成された前記回転リールの図柄を視認可能な図柄表示窓の斜め下方に設けられている。
前記メダルセレクター(4)は、前記前面メダル投入口(11)から投入された遊技メダルがホッパーユニット(5)に移送させるまでの搬送経路に設けられており、不適合なメダルを排除して適正な遊技メダルをホッパーユニット(5)に移送するためのものである。具体的には、メダル受け口とメダル排出口を有していて、この間を通過する遊技メダルの真偽を判定可能となっている。そして、適正なメダルはメダル排出口から排出されてホッパーユニット(5)に送られ、不適合メダルは前記メダル排出口とは別のメダル排出部から外部（例えば払い出しメダル皿(12)）に排出されるようになっている。
【０００８】
さらに、メダルセレクター(4)は、投入された遊技メダルの枚数をカウント可能に形成されていてもよく、投入メダルを遊技機内部に貯留（クレジット）可能な場合には、最大可能クレジット数を超えて遊技メダルが投入された場合には、超過メダルを機外に排除可能に形成されていてもよい。
前面メダル投入口(11)に投入された遊技メダルは、移送通路(15)を通って、前記メダルセレクター(4)に誘導される。ここで、移送通路(15)は、前面メダル投入口(11)の開口からメダルセレクター(4)のメダル受け口までの経路を言うものであって、例えば溝や筒などにより形成された通路の他に、前面メダル投入口(11)の下方にメダルセレクター(4)が設置されていて、前面メダル投入口(11)に投入された遊技メダルがそのままメダル受け口に落下する場合の、前面メダル投入口(11)とメダルセレクター(4)との間の空間や間隙も含むものである。
【０００９】
そして、本発明は、前記前面メダル投入口(11)とは別個に、遊技メダルを投入可能な補助メダル投入口(14)を形成又は設置し、この補助メダル投入口(14)から投入された遊技メダルを、前記メダルセレクター(4)に移送可能に形成したことを特徴とする。すなわち、本発明は、前面メダル投入口(11)以外の場所から遊技メダルを内部に取り入れ可能なスロットマシンである。
ここで、「形成又は設置」とは、補助メダル投入口(14)を、スロットマシン(S)の本体（例えば筐体(1)や前扉(2)）のいずれかの場所に形成することの他に、スロットマシン(S)がホール内に設置された状態で、スロットマシン(S)の本体以外の場所、例えば前面メダル投入口(11)の近傍に位置するように補助メダル投入口(14)を配置することも含む趣旨である。
【００１０】
補助メダル投入口(14)の具体例としては、図６及び図７に示すように、スロットマシン(S)の側面側に形成したスリット状の開口部や、図８及び図９に示すように、スロットマシン(S)の払い出しメダル皿(12)に隣接して設けた受け皿とすることができる。また、図１に示すように、スロットマシン(S)の外部から遊技メダルを供給可能な手段（メダル貸し出し機(20)）から供給される遊技メダルを、前面メダル投入口(11)に移送可能な投入移送手段(60)のメダル受け入れ口とすることもできる。
さらに、本発明においては、前記補助メダル投入口(14)から投入された遊技メダルが、メダルセレクター(4)に移送される経路及び手段は問わない。例えば、補助メダル投入口(14)から直接メダルセレクター(4)に移送可能となっていてもよいし、補助メダル投入口(14)から前面メダル投入口(11)を通じてメダルセレクター(4)に移送可能であってもよい。あるいは、補助メダル投入口(14)から移送通路(15)に移送可能であってもよい。要は、補助メダル投入口(14)から投入された遊技メダルが、メダルセレクター(4)よりも手前に移送されるように形成されていればよい。
【００１１】
本発明における補助メダル投入口(14)は、前面メダル投入口(11)から遊技メダルを一枚ずつ投入する投入方法以外のメダル投入方法を可能とさせるものである。  例えばスロットマシン(S)に自動投入機構(30)を設けた場合には、補助メダル投入口(14)として遊技メダルを一度に大量に投入可能な開口部を設けることができる。ここで、「自動投入機構(30)」とは、投入された遊技メダルを所定の場所に一枚ずつ分離して移送可能なメダル送り装置(31)を少なくとも有する遊技メダルの移送機構であって、メダル送り装置(31)の作動により自動的に遊技メダルを投入可能（遊技メダルをスロットマシン(S)のメダルセレクター(4)に移送することも含む）としたものである。
【００１２】
また、併設されたメダル貸し出し機(20)に自動投入機構(30)を設けた場合には、メダル貸し出し機(20)から供給される遊技メダルをスロットマシン(S)に移送するための樋や管などの投入移送手段(60)を設けることができるが、この投入移送手段(60)のメダル受け口を補助メダル投入口(14)とすることができる。さらに、メダル貸し出し機(20)から払い出される貸し出しメダルを、直接スロットマシン(S)に投入可能な投入移送手段(60)を設けた場合には、この投入移送手段(60)のメダル受け口を補助メダル投入口(14)とすることができる。
（作用）
本発明によれば、スロットマシン(S)又はスロットマシン(S)に隣設される装置に遊技メダルの自動投入機構(30)を設けることを前提として、手動投入又は自動投入の二種類のメダル投入方法を利用可能とすることができる。すなわち、数枚の遊技メダルを投入したい場合には前面メダル投入口(11)を用いて手動投入を行えばよく、一度に大量の遊技メダルを投入したい場合には補助メダル投入口(14)を用いて自動投入を行えばよい。
【００１３】
（請求項２）
（特徴点）
請求項２記載の発明は、上記した請求項１記載の発明の特徴点に加え、次の点を特徴とする。
すなわち、請求項２記載の発明は、前記補助メダル投入口(14)は、遊技メダルをスロットマシン(S)外部から移送可能な投入移送手段(60)と連通していることを特徴とする。
本発明は、スロットマシン(S)の外部に、遊技メダルの自動投入機構(30)を設けた場合や、スロットマシン(S)に隣設したメダル貸し出し機(20)から貸し出される遊技メダルを自動的にスロットマシン(S)に供給可能とした場合を想定している。
【００１４】
本発明においては、投入移送手段(60)のメダル受け入れ口が補助メダル投入口(14)となる。投入移送手段(60)は、例えば、遊技メダルを前面メダル投入口(11)に一枚ずつ移送可能な樋や管とすることができ、スロットマシン(S)に取り付け又は固定されていてもよいし、メダル貸し出し機(20)などのスロットマシン(S)以外の装置に設けられていてもよい。
（請求項３）
（特徴点）
請求項３記載の発明は、上記した請求項１又は２記載の発明の特徴点に加え、次の点を特徴とする。
【００１５】
すなわち、請求項３記載の発明は、前記補助メダル投入口(14)から投入された遊技メダルを、前記メダルセレクター(4)に移送するための補助移送通路(16)を設けたことを特徴とする。
本発明及び次項の発明は、補助メダル投入口(14)から投入された遊技メダルの移送経路を限定したものである。
補助移送通路(16)は、前面メダル投入口(11)とメダルセレクター(4)とをつなぐ移送通路(15)とは別個に設けられた樋や管とすることができ、スロットマシン(S)の内部に設けてあっても、外部に設置されていてもよい。スロットマシン(S)の外部に設置する場合には、請求項２において述べた投入移送手段(60)が補助移送通路(16)となる。
【００１６】
本発明によれば、補助メダル投入口(14)から投入された遊技メダルは、前記補助移送通路(16)を通って、直接メダルセレクター(4)に移送されるか、もしくは移送通路(15)に移送されてその後メダルセレクター(4)に移送される。
（請求項４）
（特徴点）
請求項４記載の発明は、上記した請求項１又は２記載の発明の特徴点に加え、次の点を特徴とする。
すなわち、請求項４記載の発明は、前記補助メダル投入口(14)から投入された遊技メダルを、前記前面メダル投入口(11)に移送するための補助移送通路(16)を設けたことを特徴とする。
【００１７】
本発明は、補助メダル投入口(14)から投入された遊技メダルを、いったん前面メダル投入口(11)を通してからメダルセレクター(4)に移送するように形成したものである。
本発明における補助移送通路(16)としては、例えば自動投入機構(30)をスロットマシン(S)に内蔵した場合には、スロットマシン(S)に固定又は取り付けられた自動投入機構(30)から提供される遊技メダルを前面メダル投入口(11)に移送可能な通路（スロットマシン(S)の内部にあるものも含む）とすることができ、自動投入機構(30)をスロットマシン(S)の外部に設けた場合には、前面メダル投入口(11)に遊技メダルを移送可能な投入移送手段(60)が補助移送通路(16)となる。
【００１８】
（請求項５）
（特徴点）
請求項５記載の発明は、次の点を特徴とする。
すなわち、請求項５記載の発明は、本体の正面側に設けられ、遊技媒体を投入するための前面投入口と、投入された遊技媒体を選別するための遊技媒体検知部と、前記前面投入口から前記遊技媒体検知部に遊技媒体を移送するための移送通路を少なくとも有する遊技機において、前記前面投入口とは別個に、遊技媒体を投入可能な補助投入口を形成又は設置し、この補助投入口から投入された遊技媒体を、前記遊技媒体検知部に移送可能に形成したことを特徴とする。
【００１９】
ここで、遊技媒体とは、遊技メダルやコイン、パチンコ玉などを含み、本発明は、パロット遊技機などの、遊技媒体を投入して遊技を行う遊技機に係る。従って、上記構成部品の他に、回転リールとこれを駆動させるためのモータを有するリールユニット(3)や、リールユニット(3)の作動を制御するための制御装置などを有していてもよい。
またここで、前記前面投入口は、遊技媒体（例えば遊技球）を遊技機内部に取り込み可能な玉投入部(232)とすることができる。そして、前記遊技媒体検知部は、前記玉投入部(232)から、例えば遊技機奥側に設置された玉循環装置までの搬送経路に設けられ、不適合な遊技球を排除して適正な遊技球を投入玉としてカウントするための玉検知部(234)とすることができる。
【００２０】
「形成又は設置」とは、補助投入口を、遊技機の本体（例えば筐体(1)や前扉(2)）のいずれかの場所に形成することの他に、遊技機がホール内に設置された状態で、遊技機の本体以外の場所、例えば前面投入口の近傍に位置するように補助投入口を配置することも含む趣旨である。
本発明における補助投入口は、前面投入口から遊技媒体を投入する投入方法以外のメダル投入方法を可能とさせるものである。例えば遊技機に自動投入機構(30)を設けた場合には、補助投入口として遊技媒体を一度に大量に投入可能な開口部を設けることができる。またこの開口部は、遊技媒体を貯留可能な下皿(240)とすることができる。
【００２１】
（作用）
本発明によれば、遊技機又は遊技機に隣設される装置に遊技媒体の自動投入機構(30)を設けることを前提として、手動投入又は自動投入の二種類の投入方法を利用可能とすることができる。すなわち、少量の遊技媒体を投入したい場合には前面投入口を用いて手動投入を行えばよく、一度に大量の遊技媒体を投入したい場合には補助投入口を用いて自動投入を行えばよい。
なお、前記補助投入口は、遊技媒体を遊技機外部から移送可能な投入移送手段(60)と連通させることができる。また、前記補助投入口から投入された遊技媒体を、前記遊技媒体検知部に移送するための補助移送通路(16)を設けることができる。さらに、前記補助投入口から投入された遊技媒体を、前記前面投入口に移送するための補助移送通路(16)を設けてもよい。
【発明の効果】
【００２２】
本発明は、以上のように構成されているので、以下に記載されるような効果を奏する。
すなわち、各請求項記載の発明によれば、メダル等の遊技媒体の手動投入も可能であり、かつ自動投入機構を利用するのに適したスロットマシン及び遊技機を提供することができる。
【発明を実施するための最良の形態】
【００２３】
本発明の実施の形態を、第一の実施の形態及び第三の実施の形態に分けて、図面に基づき説明する。
（第一の実施の形態）
（図面の説明）
図１乃至図７は、本発明の第一の実施の形態を示すものである。
図１はスロットマシン及びメダル貸し出し機の正面図、図２はスロットマシン及びメダル貸し出し機の設置状態を示す外観正面図、図３はスロットマシンの縦断面図、図４はスロットマシン及びメダル貸し出し機を示す斜視図、図５は上昇装置を示す横断面図、図６及び図７は前面メダル投入口及び補助メダル投入口の他の例を示す斜視図である。
【００２４】
本実施の形態におけるスロットマシンＳは、図２に示すように、メダル貸し出し機20に隣接して設置され、一台のスロットマシンＳにメダル貸し出し機20が一機ずつ対応するように、複数のスロットマシンがメダル貸し出し機20を挟むようにして並べられている。
（スロットマシンＳ）
スロットマシンＳは、図１に示すように、正面側に開口する箱状の筐体１及び筐体１の正面側に取り付けられた前扉２から形成されている。
筐体１の内部には、図３に示すように、複数の回転リールを備えるリールユニット３、遊技メダルを貯留し入賞時には遊技メダルを払い出すためのホッパーユニット５が設置されている。また、特に図示しないが、前記リールユニット３及びホッパーユニット５の作動を制御するための制御装置や、電源装置などが内装されている。
【００２５】
前扉２は、前記筐体１の開口部を開閉可能に塞ぐことができる板状の扉であり、閉扉状態で、スロットマシンＳの正面構造を形成するものである。すなわち、前扉２の正面側には、回転リールの図柄を視認可能な図柄表示窓10が形成されており、この図柄表示窓10の下方でありスロットマシンＳの略中央部は、スタートスイッチやストップスイッチなどの操作手段が設けられた操作部18となっている。操作部18の端部には、遊技メダルを投入するための前面メダル投入口11が設けられている。
そして、遊技メダルを投入し、スタートスイッチの操作により回転リールを回転させ、ストップスイッチの操作により回転リールを停止させ、複数の回転リールに表示された図柄が所定の位置態様に停止すると入賞となり、所定枚数の遊技メダルが払い出されるように形成されているものである。
【００２６】
ここで、前面メダル投入口11は、図３又は図６、図７に示すように、遊技メダルを上側から一枚ずつ投入可能な横長のスリットが設けられていて、このスリットの手前側には、複数の遊技メダルを縦方向に並列させて載せることができると共に、前記スリットに遊技メダルを導くためのメダル誘導凹部が形成されている。遊技メダルを投入する際には、前記スリットに直接遊技メダルを落とし込んでもよいし、メダル誘導凹部に複数の遊技メダルを並べて、前後に揺すり込むようにして押せば、先端に並んでいる遊技メダルから順にスリットに落下していく。スリットに投入した遊技メダルは、移送通路15を通ってメダルセレクター４に移送される。
【００２７】
また、前扉２の下部には、遊技メダルを排出するためのメダル排出口13が形成されており、このメダル排出口13から排出された遊技メダルを貯留可能な払い出しメダル皿12が設けられている。
さらに、前扉３の裏面側には、図３に示すように、前記前面メダル投入口11から投入された遊技メダルを選別しカウントするためのメダルセレクター４と、メダルセレクター４及び前記ホッパーユニット５から排出される遊技メダルをメダル排出口13に誘導するための排出通路17が設けられている。
ここで、前記メダルセレクター４は、移送通路15の下方にメダル受け口を有し、前面メダル投入口11から投入された遊技メダルの真偽を判別可能に形成されている。そして、適正な遊技メダルをホッパーユニット５に移送可能であると共に、投入されたメダルが適正なものでない場合には、当該遊技メダルをホッパーユニット５に移送せず、メダル排出口13へと排出可能に形成されている。具体的には、特に図示しないが、メダルセレクター４は、ホッパーユニット５にメダルを誘導するためのメダル誘導路を有していて、このメダル誘導路の端部に投入メダル排出口41が設けられている（図３参照）。メダル受け口からメダル誘導路に移送されてきた適正な遊技メダルは、この投入メダル排出口41を通してホッパーユニット５に移送される。一方、適正でない遊技メダルが投入された場合には、ブロッカーと呼ばれる通路遮断装置が作動し、当該メダルをメダル誘導路から排除して、排出メダル排出部42から落下させる。そしてこの遊技メダルは、排出通路17を通ってメダル排出口13から払い出しメダル皿12へと排出される。
【００２８】
なお、メダルセレクター４には、ホッパーユニット５に移送された遊技メダルの数をカウントするためのセンサが設けられていて、このカウントが最大クレジット可能枚数（５０枚）を超えた場合にも、前記ブロッカーが作動し、投入された遊技メダルをメダル排出口13へと排出するようになっている。この他にも、所定の遊技状態となった場合や、所定のエラーが発生した場合にも、投入された遊技メダルをメダル排出口13へと排出可能となっている。
（メダル貸し出し機20）
メダル貸し出し機20は、スロットマシンＳの側面側に隣接して設置される箱型の装置であって、金銭と引き替えに遊技メダルを貸し出すと共に、貸し出されたメダル又はスロットマシンから払い出されたメダルを、自動的にスロットマシンのメダル投入口に投入するためのものである。すなわち、メダル貸し出し機20は、図１及び図４に示すように、外箱に、紙幣カウンター22及び貸し出しメダル払い出し装置25及び自動投入機構30が設けられているものである。
【００２９】
紙幣カウンター22は、外箱の正面側上端部に設けられた紙幣投入口21から投入された紙幣を読み取って、貸し出しメダル払い出し装置25に所定枚数の遊技メダルを払い出させるためのものである。なお、メダル貸し出し機としては、紙幣投入口21及び紙幣カウンター22の他に、硬貨投入口や硬貨カウンター、釣り銭払い出し口などを有していてもよい。また、プリペイドカード投入口とカードリーダーを有していてもよい。
貸し出しメダル払い出し装置25は、遊技メダルを払い出すためのいわゆるホッパー装置であり、特に図示しないが、遊技メダルを貯留しておくためのタンクと、タンクに貯留されている遊技メダルを一枚ずつ排出可能な送り出し円板を有している。そして、貸し出しメダル払い出し装置25から払い出されたメダルは、外箱の正面側略中央部に形成された貸し出しメダル排出口24から排出される。
【００３０】
（自動投入機構30）
次に、自動投入機構30について説明する。
自動投入機構30は、スロットマシンＳに投入するための遊技メダルを、貸し出しメダル皿23から上方に揚送し、スロットマシンＳの前面メダル投入口11に自動的に投入するための機構である。すなわち、メダル貸し出し機20から貸し出された貸し出しメダルや、スロットマシンＳの払い出しメダル皿12に溜まった払い出しメダルを、一度に複数枚投入可能としたものである。
そして、自動投入機構30は、貸し出しメダル皿23及びメダル送り装置31及び上昇装置32及び投入移送手段60から構成されている。
【００３１】
貸し出しメダル皿23は、メダル貸し出し機20の正面側下部に設けられた、遊技メダルを投入可能な受け皿であり、底部が奥方向に向かって下り坂となる斜面となっていて、貸し出しメダル皿23に投入した遊技メダルは奥方向に移動するようになっている。
メダル送り装置31は、図４に示すように、貸し出しメダル皿23の底部奥側に設置されており、貸し出しメダル皿23に投入された遊技メダルを、一枚ずつ上昇装置32へと送り出すためのものである。具体的には、複数のメダル孔を有する送り出し円板と、送り出し円板を回転させるための駆動モータを備えており、送り出し円板を回転させることにより、メダル孔に嵌った遊技メダルを一枚ずつ排出するように形成されているものである。
【００３２】
さらに、特に図示しないが、メダル送り装置31には、遊技メダルの存在を検知するためのメダル確認センサが設けられており、このメダル確認センサが遊技メダルを検知している場合には、駆動モータが駆動して送り出し円板を回転させ、遊技メダルを検知しないときには、駆動モータを駆動させないようになっている。すなわち、メダル送り装置31はメダルの有無に応じて作動可能となっているものである。
なお、メダル送り装置31としては、上記した回転ディスク式のもの以外に、ベルト駆動式のものを用いてもよい。
上昇装置32は、前記メダル送り装置31から送られてきた遊技メダルを、上方に移送するためのものであり、図４に示すように、上端部がスロットマシンＳの前面メダル投入口11よりも若干高くなるように形成されたスクリュー式揚送機である。具体的には、図５（Ａ）に示すように、角形の筒体32aの中に、螺旋状の張り出し部32cを有する回転軸32bが内装されている。そして、筒体32aの下部に設けられたメダル取り入れ口から遊技メダルＭを取り入れ、回転軸32bを張り出し部32cの螺旋の下り傾斜方向に回転させることにより、遊技メダルＭを筒体32aの上方に移動させる構成となっている。
【００３３】
筒体32aは遊技メダルＭの直径よりも僅かに大きい内寸に形成されており、遊技メダルＭは筒体32aの内側面と回転軸32bの間に位置している。そして、回転軸32bの回転に伴い、張り出し部32cの螺旋が遊技メダルＭに対して上方向に移動するので、遊技メダルＭは、張り出し部32cに押し上げられるようにして、筒体32aの内側面に沿って上昇してゆくものである。揚送された遊技メダルは、筒体32aの上部であって前面メダル投入口11側に設けられたメダル排出口から押し出される。
なお、図５（Ｂ）に示すように、筒体32aの替わりに、遊技メダルＭの両端を保持可能なガイドレール32dを設けても良い。
【００３４】
ところで、前記上昇装置32は、遊技メダルを起立した状態で揚送する構成となっているので、メダル送り装置31から遊技メダルが水平状態で送り出される場合には、水平状態の遊技メダルを起立させるための立設手段を設けるのが望ましい。また、上昇装置32として、水平状態で送り出された遊技メダルを起立状態で排出可能なもの、例えば、水平状態のメダルを受け入れ、揚送過程において徐々に遊技メダルを起立させ、起立状態で排出させる移送レールを有するものを用いてもよい。上昇装置32としては、上記した構成のものに限られず、遊技メダルを一枚ずつ揚送可能なものであれば、どのような形態のものでも構わない。
【００３５】
投入移送手段60は、上昇装置32により揚送された遊技メダルを、スロットマシンＳの前面メダル投入口11に移送するためのものであり、具体的には、図１又は図４に示すような樋状の送通路である。投入移送手段60は、一端はメダル貸し出し機20の側面に取り付けられており、他端は前面メダル投入口11のスリットに横方向から近接するよう設置されている。そして、一端から上昇装置32より排出された遊技メダルを受け入れ、他端からは上昇装置32より排出された遊技メダルを順次、前面メダル投入口11のスリットに落下させるように形成されている。すなわち、この投入移送手段60が存在することにより、上昇装置60により揚送された遊技メダルを、自動的にスロットマシンＳに投入することができるのである。
【００３６】
このように、前記した投入移送手段60のメダル受け入れ口は、スロットマシンＳの補助メダル投入口14として機能し、また投入移送手段60そのものは、補助メダル投入口14から投入される遊技メダルを前面メダル投入口11に移送するための補助移送通路16として機能するものである。
なお、この投入移送手段60を、メダル貸し出し機20から着脱自在に形成しておくと、スロットマシンＳの前扉２を開ける場合や、遊技機交換の際に邪魔にならず、また破損を防ぐこともできる。
（遊技メダルの投入）
次に、上記構成を有するスロットマシンＳとメダル貸し出し機20における、投入された遊技メダルの移送経路について述べる。
【００３７】
まず、最初に遊技を開始する場合には、メダル貸し出し機20から遊技メダルを入手する。メダル貸し出し機20から貸し出されたメダルは、前面メダル投入口11に投入してもよいし、貸し出しメダル皿23に投入してもよい。貸し出しメダル皿23に投入するときには、遊技メダルを重ねて並べたりすることなく、貸し出しメダル皿23に文字通り投げ入れればよいので、前面メダル投入口11へのメダル投入が不慣れな遊技者や、大量の遊技メダルを手動で投入するのが面倒な遊技者にとっては便利である。
遊技メダルを貸し出しメダル皿23に投入した場合には、投入された遊技メダルは貸し出しメダル皿23からメダル送り装置31に移動し、このメダルを検知したメダル送り装置31が作動を開始する。このとき、上昇装置32も作動を開始する。そして、メダル送り装置31が遊技メダルを一枚ずつ上昇装置32に送り出し、上昇装置32は当該送り出された遊技メダルを上方に揚送する。
【００３８】
揚送された遊技メダルは、上昇装置32の上端部から一枚ずつ排出され、投入移送手段60を通って、前面メダル投入口11のスリットに一枚ずつ投入される。投入された遊技メダルは、移送通路15を通ってメダルセレクター４に送られ、ホッパーユニット５に貯留される。
貸し出しメダル皿23に投入された遊技メダルをすべて送り出してしまったら、メダル送り装置31及び上昇装置32は作動を停止する。
ここで、スロットマシンＳは、最低１枚のメダル投入により、スタートスイッチの操作が可能となり、回転リールを回転させることができるが、最大５０枚の遊技メダルをクレジットとして貯留可能である。クレジットがされている場合には、メダル投入のかわりに、ベットスイッチ（図示せず）を操作することにより遊技を行うことができる。なお、ベットスイッチを操作すると所定の賭枚数がクレジットから減算される。また、投入メダルが５０枚を超えると、メダルセレクター４のブロッカー装置が作動して、以後投入される遊技メダルをメダル排出口13から排出させる。
【００３９】
遊技を行い、所定の入賞となった場合には、ホッパーユニット５から遊技メダルが払い出される。払い出しメダルは、メダル排出口13から排出されて、払い出しメダル皿12に貯留される。また、クレジットメダルが無くなり、払い出しメダル皿12に貯留されている遊技メダルを再投入する場合には、前面メダル投入口11に一枚ずつ投入することもできるし、貸し出しメダル皿23に投入してもよい。
ここで、貸し出しメダル皿23は、払い出しメダル皿12と並置されているので、貸し出しメダル皿23に遊技メダルを投入する場合には、払い出しメダル皿12から遊技メダルを適量掴み出して、貸し出しメダル皿23に投げ入れるだけでよい。すなわち、払い出しメダル皿12から遊技メダルを拾い上げて、そのメダルの向きを整えて、前面メダル投入口11に投入するよりも、ずっと単純で簡易な作業で済む。また、前面メダル投入口11まで遊技メダルを持ち上げる途中で、落としてしまうという煩わしさもない。なお、貸し出しメダル皿23と払い出しメダル皿12との間に、遊技メダルを移動させるための通路を設けると、より効果的である。
【００４０】
貸し出しメダル皿23に投入した場合には、前述のようにメダル送り装置31及び上昇装置32が作動して、遊技メダルを前面メダル投入口11に投入させる。
このように、本実施の形態によるスロットマシンＳは、一枚ずつ手動で遊技メダルを投入可能な前面メダル投入口11と、隣接するメダル貸し出し機20から自動的に遊技メダルを投入するための補助メダル投入口14の二つのメダル投入口を有していることから、遊技者の好みに合わせて遊技メダルの投入方法を選択でき、スロットマシンＳの構造を大幅に設計変更することなく遊技メダルの自動投入を行うことができるものである。
（補助メダル投入口14の他の例）
ところで、上記した実施の形態のように、補助メダル投入口14を有する投入移送手段60を前面メダル投入口11の近くに設けると、前面メダル投入口11に遊技メダルを投入する際に邪魔になるおそれがある。そこで、補助メダル投入口14をスロットマシンＳの本体側面に形成するようにしてもよい。
【００４１】
図６及び図７は、補助メダル投入口14を、スロットマシンＳの前面メダル投入口11側の側面に設けた例を示す。
図６に示す例では、補助メダル投入口14は、前扉２の側面に形成された遊技メダルが通過可能なスリットである。そして、この補助メダル投入口14の外側には、屈曲部をアール形状とした略Ｌ字型の立面を有する投入移送手段60が連通されている。
ここで、前記投入移送手段60は、メダル貸し出し機20の正面側に形成された投入メダル排出口26から排出された遊技メダルを、補助メダル投入口14に移送するためのメダル移送路である。
【００４２】
また、投入メダル排出口26は、メダル送り装置31及び上昇装置32により貸し出しメダル皿23から揚送された遊技メダルが排出されるものである。なお、この投入メダル排出口26は、貸し出しメダル払い出し装置25から払い出された遊技メダルを排出可能に形成されていてもよい。このように形成すると、貸し出しメダルに全く手を触れることなく投入できる。
一方、前記補助メダル投入口14の内側には、メダルセレクター４へと遊技メダルを誘導するための補助移送通路16が形成されている。そして、前記投入メダル排出口26から排出された遊技メダルは、投入移送手段60を介して補助メダル投入口14に投入され、補助移送通路16に誘導されてメダルセレクター４に入る。
【００４３】
また、図７に示すように、投入移送手段60を、スロットマシンＳの筐体１と前扉２との間に挟持させるように形成してもよい。すなわち、筐体１と前扉２とに切り欠きを設け、これを補助メダル投入口14としたものである。投入移送手段60は、遊技メダルが通過可能な通路を有する管であり、前扉２を閉めたときにこの管が切り欠き部分に挟まれるように設置される。このように形成すれば、前扉２の開閉の邪魔にならず、また筐体１や前扉２に孔を開ける必要がなく、前扉２を閉めれば切りかかれた部分は投入移送手段60により塞がれる形となるので、孔を通して棒を進入させるなどのゴト行為が行われる心配もない。
ここで、投入移送手段60と補助移送通路16とを連続して形成してもよい。すなわち、投入メダル排出口26とメダルセレクター４とを結ぶメダル移送路を設け、それを筐体１と前扉２により挟持させるものである。この場合には、投入移送手段60の投入メダル排出口26側のメダル受け口が、補助メダル投入口14となる。
【００４４】
なお、図示した例では、補助移送通路16が直接メダルセレクター４と連通しているが、メダルセレクター４に複数のメダル受け口を形成しなくてもよいように、補助移送通路16を移送通路15と連通させてもよい。また、投入移送手段60を着脱可能又は移動可能に形成すれば、スロットマシンＳの台交換の時や前扉２の開閉時に支障がない。
（第二の実施の形態）
第二の実施の形態は、自動投入機構30を備えたスロットマシンに係る。
（図面の説明）
図８及び図９は、本発明の第二の実施の形態を示す図であり、スロットマシンの概略正面図である。
【００４５】
ここで、スロットマシンＳの基本的構成は、第一の実施の形態と同様であるので、重複する部分は説明を省略し、本実施の形態の特徴点のみ述べる。
（自動投入機構30）
本実施の形態においては、図８及び図９に示すように、自動投入機構30は、スロットマシンＳに設けられており、補助メダル投入口14及びメダル送り装置31及び上昇装置32及び補助移送通路16から構成されている。そして、補助メダル投入口14に投入された遊技メダルは、受け皿の下部又は奥側に設けられたメダル送り装置31により上昇装置32へと移送され、前面メダル投入口11に投入されるものである。
【００４６】
補助メダル投入口14は、払い出しメダル皿12に併設された、遊技メダルを投入可能な受け皿である。補助メダル投入口14と払い出しメダル皿12の間には、仕切が形成されていて、払い出しメダル皿12に貯留されている遊技メダルが、遊技者の意志に反して補助メダル投入口14に投入されてしまわないようになっている。
メダル送り装置31及び上昇装置32の機構的構成は、第一の実施の形態と同様であるので、ここでは記載を省略するが、本実施の形態においては、メダル送り装置31及び上昇装置32は、スロットマシンＳがメダル受付状態にない場合には、作動を停止するように形成することができる。
【００４７】
すなわち、５０枚を超えて遊技メダルが投入された場合や、所定の遊技状態になった場合など、メダルセレクター４のブロッカー装置が作動する状態になった場合には、メダル送り装置31及び上昇装置32を作動させる駆動モータが停止させるものである。具体的には、制御装置から発信されるメダルセレクター４のブロッカー装置を作動させるための信号（ブロッカー信号）を受信した場合には、モータの駆動を停止させるようなプログラム又は電気回路手段を用いる。
このように形成することにより、キャンセルメダルがメダル排出口13から排出されているのに、一方では自動投入機構30により遊技メダルが投入され続けるという動作の無駄を無くすることができる。
【００４８】
補助移送通路16は、上昇装置32により揚送された遊技メダルを、メダルセレクター４に誘導するための通路である。補助移送通路16は、図８に示すように、揚送された遊技メダルを前面メダル投入口11に移送するように形成してもよいし、図９に示すように、揚送された遊技メダルを直接メダルセレクター４に移送するように形成してもよい。
補助移送通路16のメダル排出口を前面メダル投入口11の側に設け、前面メダル投入口11を通じてメダルセレクター４にメダルを移送させる場合（図８）には、自動投入時にメダルが確実に投入口に投入されているのを視認でき、遊技者に安心感を与えるという利点がある。
【００４９】
一方、補助移送通路16をメダルセレクター４と直接連通させる（図９）と、前面メダル投入口11から遊技メダルを投入する際に、補助移送通路16が邪魔になることがないという利点がある。なお、図示した例では、補助移送通路16が直接メダルセレクター４と連通しているが、メダルセレクター４に複数のメダル受け口を形成しなくてもよいように、補助移送通路16を移送通路15と連通させてもよい。
ちなみに、本実施の形態においては、前記補助移送通路16に、上昇装置32を含めてもよい。上昇装置32は、補助投入口14から投入された遊技メダルをメダルセレクター４に移送するための通路に他ならないからである。
【００５０】
（第三の実施の形態）
第三の実施の形態は、自動投入機構30を備えたパロット遊技機に係る。ここで、パロットとは、遊技媒体としてパチンコ玉などの遊技球を用いてスロットマシンと同様の遊技を行わせる遊技機である。
本実施の形態におけるパロットＰは、図１０に示すように、筐体200の正面に、回転リールの図柄を視認可能な図柄表示窓210が形成されており、この図柄表示窓210の下方でありパロットＰの略中央部は、スタートスイッチやストップスイッチなどの操作手段が設けられた操作部220となっている。この操作部220の上部には、遊技球が払い出される玉排出口231と、払い出された遊技球を一時貯留しておくための上皿230が設けられている。また、筐体200の下部には、前記上皿230に貯留された遊技球を落下移動させて貯留しておくための下皿240が設けられている。
【００５１】
そして、上皿230に遊技球を入れると、上皿230の底部に設けられ遊技機内部に連通する玉投入部232に移動する。なお、特に図示しないが、玉投入部232の奥側若しくは下側には、玉投入部232から投入される遊技球を検知するための玉検知部234と、玉投入部232から玉検知部234に遊技球を移送する移送通路233が設けられている。
前記操作部220の投入スイッチ221を操作すると、玉投入部232から遊技球が所定の個数投入され、遊技が開始可能となる。そこで、スタートスイッチの操作により回転リールを回転させ、ストップスイッチの操作により回転リールを停止させる。このとき、複数の回転リールに表示された図柄が所定の位置態様に停止すると入賞となり、所定の個数の遊技球が払い出されるように形成されているものである。投入する玉数よりも払い出される玉数が多いと、遊技球が上皿230に貯まっていくが、上皿230が一杯になったら、パチンコ遊技機と同様に、下皿240に移動させる。
【００５２】
そして、パロットＰには、自動投入機構30が内蔵されている。本実施の形態における自動投入機構30の構成は、基本的には、第一又は第二の実施の形態において説明したものと同様である。ただ、遊技媒体がメダルでなく遊技球であることから、それに適応すべく形成されている。例えば、下皿240に貯留された遊技球を、上昇装置32に移送できる玉送り機構33を有している。すなわち、本実施の形態では、下皿240が補助投入口として機能している。また、上昇装置32は、筒体内部に設けられた螺旋軸が回転して遊技球を上方に移送する構成となっており、上昇装置32の先端には、遊技球を上皿230すなわち玉投入部232に移送可能な、筒状に形成された補助移送通路が設けてある。
【００５３】
なお、特に図示しないが、下皿240に貯留された遊技球が遊技者の意に反して上昇装置32に移送されないよう、玉送り機構33の近傍に仕切板や上り傾斜部を設けてもよい。あるいは、玉送り機構33及び上昇装置32を作動させるための作動スイッチを設け、このスイッチが操作されている場合のみ玉送り機構33及び上昇装置32が作動して、遊技球を上皿230に上昇させるようにしてもよい。
パロットＰにて遊技を行う場合には、玉貸し機から払い出された遊技球を手にとって、上皿230に投入するようにしてもよいし、玉貸し機から延設されたノズルから遊技球が直接下皿240に払い出され、自動投入機構30により上皿230に投入されるようにしてもよい。上皿230に遊技球が無くなって、下皿240に貯留してある払い出し玉を再投入する場合には、下皿240内の遊技球を玉送り機構33の方に移動させたり、作動スイッチを操作すればよく、上皿230まで玉を手で持ち上げなくてもよいので、遊技球を零したりすることがない。
【００５４】
なお、パロットＰに隣接する玉貸し機に自動投入機構30を内蔵させる場合には、第一の実施形態と同様に、玉貸し機の正面下方であって下皿240に隣接する位置に補助投入口を設け、下皿240から補助投入口に遊技球を移動させるだけで玉投入を行うことができるようにすればよい。なお、第一の実施の形態では、遊技機用台間機としてのメダル貸し出し機20が遊技機（スロットマシン１）の右側に設置されるようにしてあるが、本実施の形態においては、玉貸し機はパロットＰの左側に設置するようにしてもよい。
【図面の簡単な説明】
【００５５】
【図１】本発明の第一の実施の形態であって、スロットマシン及びメダル貸し出し機の外観正面図である。
【図２】本発明の第一の実施の形態であって、スロットマシン及びメダル貸し出し機の設置状態を示す正面図である。
【図３】本発明の第一の実施の形態であって、スロットマシンの側断面図である。
【図４】本発明の第一の実施の形態であって、スロットマシン及びメダル貸し出し機の斜視図である。
【図５】本発明の第一の実施の形態であって、上昇装置の横断面図である。
【図６】本発明の第一の他の実施の形態であって、補助メダル投入口及び投入移送手段の他の例を示す斜視図である。
【図７】本発明の第一の実施の形態であって、補助メダル投入口及び投入移送手段の他の例を示す斜視図である。
【図８】本発明の第二の実施の形態であって、スロットマシンの外観正面図である。
【図９】本発明の第二の実施の形態であって、他の例によるスロットマシンの外観正面図である。
【図１０】本発明の第三の実施の形態であって、パロットの外観正面図である。
【符号の説明】
【００５６】
Ｓ  スロットマシン                  １  筐体
２  前扉                            ３  リールユニット
４  メダルセレクター                ５  ホッパーユニット
10  図柄表示窓                      11  前面メダル投入口
12  払い出しメダル皿                13  メダル排出口
14  補助メダル投入口                15  移送通路
16  補助移送通路                    17  排出通路
20  メダル貸し出し機                21  紙幣投入口
22  紙幣カウンター                  23  貸し出しメダル皿
24  貸し出しメダル排出口            25  貸し出しメダル払い出し装置
30  自動投入機構                    31  メダル送り装置
32  上昇装置                        33  玉送り装置
41  投入メダル排出口                42  排出メダル排出部
51  払い出しメダル排出口
60  投入移送手段                    Ｍ  遊技メダル
Ｐ  パロット
200  筐体                           210  図柄表示窓
220  操作部                         221  玉投入スイッチ
230  上皿                           231  玉排出口
232  玉投入部                       233  移送通路
234  玉検知部（遊技媒体検知部）     240  下皿（補助投入口）
【図１】
2004337600.tif 000003
【図２】
2004337600.tif 000004
【図３】
2004337600.tif 000005
【図４】
2004337600.tif 000006
【図５】
2004337600.tif 000007
【図６】
2004337600.tif 000008
【図７】
2004337600.tif 000009
【図８】
2004337600.tif 000010
【図９】
2004337600.tif 000011
【図１０】
2004337600.tif 000012